(57)【要約】【課題】収納状態での予備苗載置部を上下にコンパクトに構成することができ、予備苗載置部の状態を切り替える際の操作性を向上させることのできる乗用型田植機の予備苗載せ台構造を低コストで実現する。【解決手段】乗用型田植機の予備苗載せ台構造において、予備苗載置部３９に、支持フレーム３３に連結された連結載置部分４０と、連結載置部分４０に沿って前方又は後方に移動可能な可動載置部分５０とを備えて、可動載置部分５０が連結載置部分４０から前方又は後方に移動した延長状態と、可動載置部分５０が連結載置部分４０側に収納した収納状態とに切替可能に構成する。【選択図】図４
2009022174.tif 000002
【特許請求の範囲】
【請求項１】
支持フレームを運転部の前側の横側部に備えると共に、苗を載置する予備苗載置部を前記支持フレームに備え、
前記予備苗載置部に、前記支持フレームに連結された連結載置部分と、前記連結載置部分に沿って前方又は後方に移動可能な可動載置部分とを備えて、前記可動載置部分が前記連結載置部分から前方又は後方に移動した延長状態と、前記可動載置部分が前記連結載置部分側に収納した収納状態とに切替可能に構成してある乗用型田植機の予備苗載せ台構造。
【請求項２】
前記予備苗載置部を、苗を載置可能な使用姿勢と、機体内方側へ格納された格納姿勢とに姿勢変更可能に構成してある請求項１記載の乗用型田植機の予備苗載せ台構造。
【発明の詳細な説明】
【技術分野】
【０００１】
本発明は、支持フレームを運転部の前側の横側部に備えると共に、苗を載置する予備苗載置部を支持フレームに備えた乗用型田植機の予備苗載せ台構造に関する。
【背景技術】
【０００２】
従来の技術としては、例えば特許文献１に開示されているように、機体の前側の横側部に左右一対の支持フレーム（特許文献１の図４の３３）を前後揺動自在に支持し、この支持フレームを前後に揺動させることにより、予備苗載置部（特許文献１の図４の３９）を作業位置及び補給位置に切替可能に構成した乗用型田植機や、特許文献２に開示されているように、機体の前側の横側部に左右一対のブラケット（特許文献２の図１の３１）を固定し、このブラケットに固定した固定苗台（特許文献２の図１の１２ｍ）に対して第１及び第２苗台（特許文献２の図１の１２ｆ，１２ｒ）を前後に折り畳むことにより、予備苗のせ台（特許文献２の図１の１２）を折り畳んだ状態と延長した状態とに切替可能に構成した乗用型田植機が知られている。
【０００３】
【特許文献１】特開２００５−９５０４７号公報（図３、図４及び図５参照）
【特許文献２】特開２００７−２０４２８号公報（図１及び図２参照）
【発明の開示】
【発明が解決しようとする課題】
【０００４】
特許文献１の乗用型田植機では、左右一対の支持フレーム（特許文献１の図４の３３）を前フレーム（特許文献１の図４の１９）に連結された支持フレーム（特許文献１の図３の３１）に支持リンク（特許文献１の図４の３４）等を介して揺動自在に支持することにより、予備苗載置部を作業位置及び補給位置に略水平な状態で移動するように構成されている。その結果、予備苗載置部の構造が複雑になって、製造コストが高騰するといった問題があった。
【０００５】
特許文献２の乗用型田植機では、固定苗台（特許文献２の図１の１２ｍ）の前部及び後部に第１及び第２苗台（特許文献２の図１の１２ｆ，１２ｒ）を揺動自在に支持し、第２苗台を固定苗台の上方に折り畳むと共に、第１苗台を第２苗台の上方に折り畳むことによって、予備苗のせ台を折り畳んだ状態に切替可能に構成されている。その結果、固定苗台，第１及び第２苗台が一定の隙間をあけて上下に並んだ状態で配設され、折り畳んだ状態での予備苗のせ台の上下方向の厚みが厚くなるといった問題や、例えば機体の上に乗って予備苗のせ台を折り畳む必要があり、予備苗のせ台の状態を切り替える際の操作性が悪いといった問題があった。
本発明は、収納状態での予備苗載置部を上下にコンパクトに構成することができ、予備苗載置部の状態を切り替える際の操作性を向上させることのできる乗用型田植機の予備苗載せ台構造を低コストで実現することを目的とする。
【課題を解決するための手段】
【０００６】
［Ｉ］
（構成）
本発明の第１特徴は、乗用型田植機の予備苗載せ台構造を次のように構成することにある。
支持フレームを運転部の前側の横側部に備えると共に、苗を載置する予備苗載置部を前記支持フレームに備え、
前記予備苗載置部に、前記支持フレームに連結された連結載置部分と、前記連結載置部分に沿って前方又は後方に移動可能な可動載置部分とを備えて、前記可動載置部分が前記連結載置部分から前方又は後方に移動した延長状態と、前記可動載置部分が前記連結載置部分側に収納した収納状態とに切替可能に構成する。
【０００７】
（作用）
本発明の第１特徴によると、例えば畦等から予備苗を苗植付装置に補給する際には、予備苗載置部を延長状態に切り替えることで、畦等からの予備苗載置部への予備苗の積み込みを畦等に近い位置から容易に行うことができ、又は、予備苗載置部からの予備苗の苗植付装置への補給を苗植付装置に近いから容易に行うことができる。可動載置部分は連結載置部分に沿って移動可能に構成されているため、可動載置部分を連結載置部分に沿って前方又は後方に移動させることで、予備苗載置部が略水平な状態で、予備苗載置部の収納状態及び延長状態を切り替えることができ、例えば予備苗載置部を略水平な状態で移動させる機構が不要になる。その結果、収納状態と延長状態とに切替可能な予備苗載置部を簡素な構造で実現できる。
【０００８】
本発明の第１特徴によると、可動載置部分は連結載置部分に沿って移動するように構成されているため、可動載置部分と連結載置部分との間に隙間を開けずに、収納状態に切り替えることができ、収納状態での予備苗載置部の上下方向の厚みを薄く構成することができ、収納状態での予備苗載置部を上下にコンパクトに構成することができる。また、予備苗載置部の前方又は後方から可動載置部分を連結載置部分に沿って前方又は後方に移動させることで予備苗載置部を収納状態と延長状態とに切り替えることができ、予備苗載置部の状態の切り換えを容易に行うことができる。
【０００９】
（発明の効果）
本発明の第１特徴によると、苗の苗植付装置への補給作業等の作業性を向上しながら、予備苗載置部の製造コストを低く抑えることができる。また、例えば機体の上に乗らなくても予備苗載置部の収納状態と延長状態とを切り替えることが可能になり、予備苗載置部の状態を切り替える際の操作性を向上させることができる。
【００１０】
［ＩＩ］
（構成）
本発明の第２特徴は、本発明の第１特徴の乗用型田植機の予備苗載せ台構造において、次のように構成することにある。
前記予備苗載置部を、苗を載置可能な使用姿勢と、機体内方側へ格納された格納姿勢とに姿勢変更可能に構成する。
【００１１】
（作用）
本発明の第２特徴によると、本発明の第１特徴と同様に前項［Ｉ］に記載の「作用」を備えており、これに加えて以下のような「作用」を備えている。
本発明の第２特徴によると、上下にコンパクトに構成された予備苗載置部を運転部の前側の横側部に突出した使用姿勢から格納姿勢に姿勢変更することにより、格納姿勢での予備苗載置部の左右方向の幅を狭く抑えることができ、格納姿勢での予備苗載置部を左右にコンパクトに構成することができる。その結果、使用しない状態での左右の予備苗載置部の幅（運転部の前側の全幅）を狭く抑えることができる。
【００１２】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、使用しない状態での予備苗載置部が乗用型田植機の走行や苗植付け作業の妨げになり難くなって、予備苗載置部を使用しない状態での乗用型田植機の走行作業や苗植付け作業の作業性を向上させることができる。
【発明を実施するための最良の形態】
【００１３】
［乗用型田植機の全体構成］
図１及び図２に示すように、前輪１及び後輪２で支持された機体に運転部３が備えられており、機体の後部にリンク機構４及び油圧シリンダ５を介して苗植付装置６が昇降駆動自在に支持されて、乗用型田植機が構成されている。
【００１４】
苗植付装置６は４条植型式に構成されており、２個の伝動ケース２１、伝動ケース２１の後部の右及び左の横側部に回転駆動自在に支持された植付ケース２２、植付ケース２２の両端に備えられた一対の植付アーム２３、接地フロート２４、及び苗が載置される苗のせ台２５等を備えて構成されている。これにより、苗のせ台２５が左右に往復横送り駆動されるのに伴って、植付ケース２２が回転駆動され、苗のせ台２５の下部から植付アーム２３が交互に苗を取り出して田面に植え付ける。
【００１５】
運転部３におけるフロア７の後方上方に運転座席８が備えられており、運転座席８の後側に肥料を貯留するホッパー２６、繰り出し部２７及びブロア２８が備えられている。接地フロート２４に作溝器２９が備えられて、繰り出し部２７と作溝器２９とに亘ってホース３０が接続されている。これにより、前述のような苗の植え付けに伴って、ホッパー２６から肥料が所定量ずつ繰り出し部２７によって繰り出されて、ブロア２８の送風により肥料がホース３０を通って作溝器２９に供給され、作溝器２９を介して肥料が田面に供給される。
【００１６】
図１〜図３に示すように、エンジン（図示せず）を覆うボンネット９がフロア７の前方に備えられており、ボンネット９の右及び左の横側部に、フロア７につながる右及び左のステップ１０が備えられている。前輪１を操向操作する操縦ハンドル１１がボンネット９の上部に備えられており、ボンネット９の上部における操縦ハンドル１１の右の横側部に、エンジンのアクセル部を操作するアクセルレバー１５及び昇降レバー１２が備えられ、操縦ハンドル１１の左の横側部に、主変速レバー１３が備えられている。ボンネット９の後面における左の横側部に副変速レバー１６が備えられている。
【００１７】
昇降レバー１２は上昇位置、中立位置、下降位置及び植付位置に操作自在であり、後側から前側に向けて上昇位置、中立位置、下降位置及び植付位置が、この順序で配置されている（図２に示す状態は昇降レバー１２を中立位置に操作している状態）。昇降レバー１２を上昇位置に操作すると、苗植付装置６に動力を伝達する植付クラッチ（図示せず）が遮断状態に操作されて、油圧シリンダ５により苗植付装置６が上昇駆動される。昇降レバー１２を中立位置に操作すると、植付クラッチが遮断状態に操作されて油圧シリンダ５が停止する。昇降レバー１２を下降位置に操作すると、植付クラッチが遮断状態に操作されて、油圧シリンダ５により苗植付装置６が下降駆動される。昇降レバー１２を植付位置に操作すると、植付クラッチが伝動状態に操作されて、苗植付装置６が田面から設定高さに維持されるように油圧シリンダ５により自動的に昇降駆動される。
【００１８】
機体には、静油圧式無段変速装置（図示せず）及びギヤ変速式の副変速装置（図示せず）が備えられており、エンジンの動力がベルト型式のテンションクラッチ（図示せず）を介して静油圧式無段変速装置に伝達され、静油圧式無段変速装置から副変速装置を介して、前輪１及び後輪２に伝達される。静油圧式無段変速装置は中立位置、前進の高速側及び後進の高速側に無段階に変速自在に構成されており、副変速装置は低速の植付走行位置及び高速の路上走行位置の２位置切換式に構成されている。
【００１９】
図１及び図２に示す状態は主変速レバー１３を中立位置に操作している状態であり、静油圧式無段変速装置が中立位置に操作されて機体は停止している。主変速レバー１３を中立位置から前方の前進変速域に操作すると、静油圧式無段変速装置が前進の高速側に操作されるのであり、主変速レバー１３を中立位置から後方の後進変速域に操作すると、静油圧式無段変速装置が後進の高速側に操作される。図１に示すように、副変速レバー１６を上方及び下方に操作することによって、副変速装置が低速の植付走行位置及び高速の路上走行位置に操作される。
【００２０】
図１〜図３に示すように、右のステップ１０におけるフロア７に近い部分に操作ペダル１４が備えられており、操作ペダル１４を下方の踏み位置に操作すると、静油圧式無段変速装置が中立位置よりも少し高速側の低速位置に操作され、前輪１及び後輪２を制動可能なブレーキ（図示せず）が制動側に操作される。操作ペダル１４を上方の戻し位置に操作すると、静油圧式無段変速装置が前述の低速位置に残された状態で、ブレーキが制動解除側に操作されるのであり、バネ（図示せず）により操作ペダル１４が上方の戻し位置に付勢されている。
【００２１】
操作ペダル１４に操作レバー１７が固定されており、操作レバー１７によって操作ペダル１４を前述の下方の踏み位置及び上方の戻し位置に操作することができる。右のステップ１０において、操作ペダル１４及び操作レバー１７の前側の部分にロックレバー１８が備えられており、ロックレバー１８により操作ペダル１４及び操作レバー１７を下方の踏み位置で保持することができる。
【００２２】
エンジンを支持する前フレーム１９が機体の前部の下部に備えられており、前フレーム１９の機体左右方向の横軸芯Ｐ１周りに、操作アーム２０が揺動自在に支持されている。操作アーム２０は正面視で逆Ｕ字状に構成されて、上方に起立した格納位置、及び機体の前部から前方に出た作業位置に亘り揺動自在に構成されている。操作アーム２０を作業位置に操作すると、前輪１及び操縦ハンドル１１が直進位置で保持され、操作アーム２０を格納位置に操作すると、前輪１及び操縦ハンドル１１の保持が解除されるように構成されている。
【００２３】
［予備苗載置部の詳細構造］
図１〜図３に示すように、前フレーム１９に固定されたフレーム３１が右及び左の横外側に延出されており、このフレーム３１の左右両端に連結部材３２が固着され、丸パイプ状の上下に長い支持フレーム３３の下端部に連結部材３４が固着されており、連結部材３４をフレーム３１に固着された連結部材３２に締め付け固定することで、支持フレーム３３がフレーム３１に固定されている。
【００２４】
左右の支持フレーム３３の上部には、縦断面形状がＬ字状の前後に長いフレーム３５が固着されており、このフレーム３５に、機体外方側へ倒伏し予備苗を載置可能な使用姿勢と、機体内方側へ起立し格納された格納姿勢とに姿勢変更可能な予備苗載置部３９が装着されている。運転部３の前側の右側部に１段の予備苗載置部３９が装備され、運転部３の前側の左側部に１段の予備苗載置部３９が装備されており、これら左右２つの予備苗載置部３９に予備苗を載置できるように構成されている。
【００２５】
図１〜図５に示すように、予備苗載置部３９は、図１〜図３に示す可動載置部分５０（５０Ｆ，５０Ｒ）が連結載置部分４０側に収納した収納状態と、図４及び図５に示す可動載置部分５０（５０Ｆ，５０Ｒ）が連結載置部分４０から前方又は後方に移動した延長状態とに切替可能に構成されている。
【００２６】
図６及び図７に示すように、フレーム３５の外面側には、横断面形状が外向きのコ字状に折り曲げ成形された帯板状のブラケット３６が締め付け固定されている。ブラケット３６の前後両端部の外方側へ折り曲げられた部分には、それぞれ前後向きの取付穴３６ａが形成されており、この取付穴３６ａと予備苗載置部３９の連結載置部分４０の内方側縁部４４とに亘ってピン３７を連通させることで、予備苗載置部３９が前後方向の軸心周りに揺動自在に支持され、機体内方側へ起立した格納姿勢と機体外方側へ倒伏した使用姿勢とに姿勢変更可能に構成されている。
【００２７】
予備苗載置部３９は、ブラケット３６に揺動自在に連結された連結載置部分４０と、この連結載置部分４０から前方にスライド移動可能な前部可動載置部分５０Ｆと、連結載置部分４０から後方にスライド移動可能な後部可動載置部分５０Ｒとを備えて構成されている。
【００２８】
予備苗載置部３９の連結載置部分４０は、樹脂をブロー成形することによって構成されており、使用姿勢での平面視が前後に長い長方形状に形成されている。連結載置部分４０の前端及び後端には、斜め下方に傾斜した傾斜部４０Ｂが形成されており、延長状態での予備苗載置部３９の上を予備苗が無理なくスライド移動できるように構成されている。
【００２９】
連結載置部分４０における基礎面４０Ａには、上方へ突出した前後に長い複数の突条４１が左右方向に所定間隔で一体成形されており、予備苗と基礎面４０Ａとの接触面積を小さく抑えることで、連結載置部分４０の上部で予備苗を無理なくスライド移動させることができるように構成されている。突条４１の前端部及び後端部には、斜め下方に傾斜した傾斜部４１ａが形成されており、予備苗載置部３９の上を予備苗が無理なくスライド移動できるように構成されている。
【００３０】
図７〜図９に示すように、使用姿勢での連結載置部分４０の外方側端部には、基礎面４０Ａから上方へ突出した外方側縁部４３が一体成形されており、この外方側縁部４３が突条４１の上面に載置した予備苗の外方側への移動を阻止するストッパーとして機能するように構成されている。外方側縁部４３の前部及び後部は、直線状に成形されており、前後中央部が台形状に高くなるように成形されている。使用姿勢での外方側縁部４３の縦断面形状は、下向きに開口したコ字状に一体成形されており、後述する予備苗載置部３９の可動載置部分５０の係合部５２と無理なく係合するように外方側縁部４３の幅が設定されている。
【００３１】
使用姿勢での連結載置部分４０の内方側端部には、基礎面４０Ａから上方へ突出した内方側縁部４４が一体成形されており、この内方側縁部４４が突条４１の上面に載置した予備苗の内方側への移動を阻止するストッパーとして機能するように構成されている。内方側縁部４４の前部及び後部は、直線状に成形されており、前後中央部が台形状に高くなるように成形されている。使用姿勢での内方側縁部４４の縦断面形状は、下向きに開口したコ字状に一体成形されており、後述する予備苗載置部３９の可動載置部分５０の係合部５２と無理なく係合するように内方側縁部４４の幅が設定されている。
【００３２】
図７及び図１０に示すように、使用姿勢での連結載置部分４０の四隅には、下方側へ凹入した凹入部４２が一体成形されている。連結載置部分４０の前部に形成された左右の凹入部４２に亘って、下向きに開口したコ字状の支持部材４８が下方側から締め付け固定されており、連結載置部分４０の後部に形成された左右の凹入部４２に亘って、下向きに開口したコ字状の支持部材４８が下方側から締め付け固定されている。
【００３３】
図７及び図１１に示すように、連結載置部分４０の内方側縁部４４には、前後の切欠き部４５が形成されており、この前後の切欠き部４５の側部に前後の連結部４６が一体成形されている。内方側縁部４４には、前後に連通する長穴４４ａが形成されており、この長穴４４ａとブラケット３６の取付穴３６ａとに亘ってピン３７を連通させることで、予備苗載置部３９を支持フレーム３３の上部に揺動可能に支持できるように構成されている。
【００３４】
図１３に示すように、図１３（イ）に示す使用姿勢での予備苗載置部３９をピン３７の前後向きの軸心周りに上方へ揺動させて予備苗載置部３９を略垂直に起立させ、予備苗載置部３９を少し下方へ押すと、連結載置部分４０の内方側縁部４４に形成した長穴４４ａがピン３７に沿って下方へ移動し（予備苗載置部３９が下方へ移動し）、連結載置部分４０の内方側縁部４４の上面とブラケット３６が接当して、予備苗載置部３９が図１３（ロ）に示す格納姿勢で保持される。
【００３５】
一方、連結載置部分４０の内方側縁部４４に形成した長穴４４ａがピン３７に沿って上方へ移動するように、図１３（ロ）に示す格納姿勢での予備苗載置部３９を少し上方へ持ち上げると、ピン３７の前後向きの軸心周りでの予備苗載置部３９の揺動が許容され、予備苗載置部３９を図１３（イ）に示す使用姿勢に姿勢変更できる。
【００３６】
このように、予備苗載置部３９を構成することにより、予備苗載置部３９の姿勢変更をワンタッチで簡易迅速に行うことができ、予備苗載置部３９の姿勢変更作業の作業性を向上させることができる。また、内方側縁部４４に形成した長穴４４ａとピン３７によって簡素な構造で、姿勢変更容易な予備苗載置部３９を実現でき、製造コストを削減できる。
【００３７】
図６及び図７に示すように、予備苗載置部３９の可動載置部分５０は、樹脂をブロー成形することによって構成されており、予備苗載置部３９の連結載置部分４０の前部に前後にスライド移動可能に装備された前部可動載置部分５０Ｆと、予備苗載置部３９の連結載置部分４０の後部に前後にスライド移動可能に装備された後部可動載置部分５０Ｒとによって構成されている。
【００３８】
前部及び後部可動載置部分５０Ｆ，５０Ｒは、それぞれ連結載置部分４０側へスライド移動した収納状態と、連結載置部分４０から離れる側へスライド移動した延長状態とに切換可能に構成されており、前部及び後部可動載置部分５０Ｆ，５０Ｒをともに収納状態に切り替えた状態では、無理なく一枚の予備苗を予備苗載置部３９に載置できるように、連結載置部分４０の前後方向の長さ（図６中のＬ３）が設定されており、前部及び後部可動載置部分５０Ｆ，５０Ｒをともに延長状態に切り替えた状態では、無理なく２枚の予備苗を前後に並べて予備苗載置部３９に載置できるように、連結載置部分４０、前部及び後部可動載置部分５０Ｆ，５０Ｒの前後方向の長さ（図６中のＬ１）が設定されている。
【００３９】
前部可動載置部分５０Ｆを前方にスライド移動させる長さ（図６中のＬ２）と、後部可動載置部分５０Ｒを後方にスライド移動させる長さ（図６中のＬ２）との和が、連結載置部分４０の前後方向の長さ（図６中のＬ３）と略同じか、連結載置部分４０の前後方向の長さ（図６中のＬ３）より長くなるように、前部及び後部可動載置部分５０Ｆ，５０Ｒの連結載置部分４０から延出する長さ（図６中のＬ２）が設定されている。その結果、例えば延長状態での予備苗載置部３９に予備苗を載置する場合には、前後に２つの予備苗を無理なく載置することができ、例えば苗の補給作業を行う場合には、前後に延長する予備苗載置部３９の部分の長さを長く確保でき、苗の補給作業の作業性を向上できる。
【００４０】
前部及び後部可動載置部分５０Ｆ，５０Ｒは、樹脂をブロー成形することによって構成されており、予備苗の前方への移動を規制する左右に長いストッパー部５１と、このストッパー部５１の左右両端から前後方向に延出された左右の係合部５２と、ストッパー部５１の左右中央部から前後方向に延出された左右の支持部５３と、ストッパー部５１の左右両側部から前後方向に延出された左右のガイド部５４とが、一体成形されている。
【００４１】
ストッパー部５１は、下向きに開口したコ字状に成形されており、ストッパー部５１の高さは、連結載置部分４０における外方側縁部４３及び内方側縁部４４の前後中央部分の高さと略同じ高さに設定されて、前部及び後部可動載置部分５０Ｆ，５０Ｒのストッパー部５１と、連結載置部分４０の外方側縁部４３及び内方側縁部４４との協働で、予備苗載置部３９に載置した予備苗が前後及び左右に落下することを防止できると共に、前部及び後部可動載置部分５０Ｆ，５０Ｒを前方又は後方にスライド移動させる場合には、このストッパー部５１が前後に押し引きする操作具として兼用されるように構成されている。
【００４２】
係合部５２は、下向きに開口したコ字状に成形されており、前後方向の複数箇所に帯板状の補強部材５２ａが一体成形されて、係合部５２の断面係数を大きく確保でき、係合部５２の強度を向上できるように構成されている。係合部５２の長さは、支持部５３の長さより短く設定されており、前部及び後部可動載置部分５０Ｆ，５０Ｒの軽量化を図るとともに、前部及び後部可動載置部分５０Ｆ，５０Ｒの操作性を向上できるように構成されている。
【００４３】
前部及び後部可動載置部分５０Ｆ，５０Ｒを連結載置部分４０に組み付けて収納状態に切り替えた状態で、係合部５２の外面が連結載置部分４０における外方側縁部４３及び内方側縁部４４の内面と所定の隙間（わずかな隙間）を開けて配設されるように構成されており、前部及び後部可動載置部分５０Ｆ，５０Ｒを延長状態及び収納状態に切り替える際に、左右の係合部５２が連結載置部分４０の外方側縁部４３及び内方側縁部４４に対して無理なくスライド移動し、前部及び後部可動載置部分５０Ｆ，５０Ｒを収納状態に切り替えた状態で、前部及び後部可動載置部分５０Ｆ，５０Ｒにガタツキが生じ難く、予備苗載置部３９の収納状態が樹脂の摩擦力により一定の保持力で保持されるように構成されている。なお、前部及び後部可動載置部分５０Ｆ，５０Ｒの自重等によって、前部及び後部可動載置部分５０Ｆ，５０Ｒの延長状態が保持される。これにより、例えば前部及び後部可動載置部分５０Ｆ，５０Ｒを延長状態及び収納状態で保持するロック機構（図示せず）等が不要になる。
【００４４】
図６，図７，図１２に示すように、支持部５３は、下向きに開口したコ字状に成形されており、前後方向の複数箇所に帯板状の補強部材５３ａが一体成形されて、支持部５３の断面係数を大きく確保でき、支持部５３の強度を向上できるように構成されている。前部及び後部可動載置部分５０Ｆ，５０Ｒを延長状態に切り替えた状態では、この支持部５３により前部及び後部可動載置部分５０Ｆ，５０Ｒを支持するとともに、前部及び後部可動載置部分５０Ｆ，５０Ｒに載置した予備苗を支持できるように構成されている。
【００４５】
支持部５３の先端部には、支持部５３の下面側から下方に突出した平板状のストッパー部５３ｂが一体成形されており、前部可動載置部分５０Ｆを前方にスライド移動させると、ストッパー部５３ｂが支持部材４８に接当して、前部可動載置部分５０Ｆの最も前方に移動した位置を位置決めでき、後部可動載置部分５０Ｒを後方にスライド移動させると、ストッパー部５３ｂが支持部材４８に接当して、後部可動載置部分５０Ｒの最も後方に移動した位置を位置決めできる。
【００４６】
図６及び図７に示すように、ガイド部５４は、下向きに開口したコ字状に成形されており、前後方向の複数箇所に帯板状の補強部材５４ａが一体成形されて、ガイド部５４の断面係数を大きく確保でき、ガイド部５４の強度を向上できるように構成されている。
【００４７】
図６，図８，図９に示すように、収納状態での連結載置部分４０の四隅には、ガイド部材５４を案内する案内開口部４７ａが形成された案内部材４７が一体成形されており、ガイド部材５４を左右の案内部材４７の案内開口部４７ａに沿って移動させることで、前部及び後部可動載置部分５０Ｆ，５０Ｒが左右方向にガタつき難くなって、前部及び後部可動載置部分５０Ｆ，５０Ｒを無理なくスライド移動できる。
【００４８】
図２及び図６に示すように、前部及び後部可動載置部分５０Ｆ，５０Ｒをともに収納状態に切り替えると、後部可動載置部分５０Ｒの左右の支持部５３の間に、前部可動載置部分５０Ｆの内方側の支持部５３の先端部が入り込み、前部可動載置部分５０Ｆの左右の支持部５３の間に、後部可動載置部分５０Ｒの内方側の支持部５３の先端部が入り込むように、前部及び後部可動載置部分５０Ｆ，５０Ｒの支持部５３の形状が設定され、前部及び後部可動載置部分５０Ｆ，５０Ｒの支持部５３が配設されている。その結果、前部及び後部可動載置部分５０Ｆ，５０Ｒの連結載置部分４０から前方又は後方に延出する長さを長く確保できるだけでなく、前部及び後部可動載置部分５０Ｆ，５０Ｒを同じ形状に構成し、部品の共通化を図ることができる。
【００４９】
上記のように前部及び後部可動載置部分５０Ｆ，５０Ｒ及び連結載置部分４０を構成することにより、前部可動載置部分５０Ｆ、後部可動載置部分５０Ｒ、及び連結載置部分４０を側面視で部分的に重なる位置に配設することができ、予備苗載置部３９の上下方向の厚みを小さく抑えることができ、上下にコンパクトな予備苗載置部３９を実現できる。また、連結載置部分４０、前部可動載置部分５０Ｆ、及び後部可動載置部分５０Ｒを樹脂で構成することにより、予備苗載置部３９の軽量化を図ることができる。
【００５０】
［予備苗載置部の使用形態］
図４及び図５に示すように、畦等から苗を補給する場合には、機体の前部が畦等に接するような状態で機体を停止させて、上側の予備苗載置部３９の前部及び後部可動載置部分５０Ｆ，５０Ｒを延長状態に切り換え、畦等からの苗を前部可動載置部分５０Ｆに載置して、苗を少し手で押すことにより後部可動載置部分５０Ｒ側に滑らせる。そして、この後部可動載置部分５０Ｒ側に移動した苗を、フロア７に立った作業者が苗のせ台２５に補給することで、畦等からの苗を無理なく苗のせ台２５に補給することができる。
【００５１】
予備苗を予備苗載置部３９に載置する場合には、上側及び下側の前部及び後部可動載置部分５０Ｆ，５０Ｒを延長状態に切り換え、畦等からの苗を前部可動載置部分５０Ｆに載置し、苗を少し手で押すことにより後部可動載置部分５０Ｒ側に滑らせる。そして、更に前部可動載置部分５０Ｆに予備苗を載置し、２つの予備苗を１つの予備苗載置部３９に載置することができ、左右の予備苗載置部３９にそれぞれ２つの予備苗を載置することで、合計４つの予備苗を搭載することができる。
【００５２】
例えば畦等から苗を補給する作業者が予備苗載置部３９の近くやフロア７の上に移動しなくても、前部可動載置部分５０Ｆのストッパー部５１を畦等から握って前部可動載置部分５０Ｆを前方から押し引きすることで、予備苗載置部３９の収納状態及び延長状態を簡易迅速に切り替えることができ、例えば畦等から苗を補給する作業者が無理な体勢をとらずに、畦等から手を伸ばして予備苗載置部３９の収納状態及び延長状態を簡易迅速に切り替えることができる。
【００５３】
後部可動載置部分５０Ｒのストッパー部５１を操作して後部可動載置部分５０Ｒの後方から押し引きすることで、予備苗載置部３９の収納状態及び延長状態を切り替えることができ、例えばフロア７に立った作業者が無理な体勢をとらずに、フロア７の上から手を伸ばして後部可動載置部分５０Ｒの収納状態及び延長状態を簡易迅速に切り替えることができ、また、フロア７に上がらなくても圃場から手を伸ばして予備苗載置部３９の収納状態及び延長状態を簡易迅速に切り替えることができる。
【００５４】
なお、畦等から苗を補給する場合及び予備苗を予備苗載置部３９に載置する場合以外の場合には、図１３に示すように、予備苗載置部３９を格納姿勢に姿勢変更することで、機体前部の幅を狭くすることができ、乗用型田植機の走行性、旋回性及び保管性を向上させることができる。
【００５５】
［発明の実施の第１別形態］
前述の［発明を実施するための最良の形態］においては、予備苗載置部３９の連結部４６に形成した長穴４４ａと、ブラケット３６の取付穴３６ａとに亘ってピン３７を連通させることで、予備苗載置部３９を使用姿勢と格納姿勢とに姿勢変更可能に構成し、予備苗載置部３９を格納姿勢で保持できるように構成した例を示したが、図１４及び図１５に示すような予備苗載置部３９の取付構造を採用してもよい。なお、後述する以外の他の構成は、前述の［発明を実施するための最良の形態］と同様である。
【００５６】
図１４に示すように、支持フレーム３３の上部に、揺動フレーム６０を介して予備苗載置部３９が前後方向の軸心周りに揺動可能に支持され、図１４（イ）に示す予備苗載置部３９が外方側へ倒伏した使用姿勢と、図１４（ロ）に示す予備苗載置部３９が内方側へ起立した格納姿勢とに姿勢変更可能に装着されている。
【００５７】
図１４及び図１５に示すように、支持フレーム３３の上部に、縦断面形状がＬ字状の前後に長い上部フレーム６６が固着されており、この上部フレーム６６から内方側に、前後向きの取付穴が形成された前後のブラケット６７が固定されている。
【００５８】
予備苗載置部３９を連結する揺動フレーム６０は、左右に長い前部及び後部フレーム６１，６２と、前部フレーム６１と後部フレーム６２とに亘って設けられた縦断面形状がＬ字状の前後フレーム６３とを備えて構成されており、前後フレーム６３に前後の連結部材６４が固着されている。前後の連結部材６４には、前後向きの貫通穴が形成されており、この貫通穴と前後のブラケット６７の取付穴とに亘ってピン６８を挿入することで、揺動フレーム６０が前後方向の軸心周りに揺動するように構成されている。
【００５９】
前部及び後部フレーム６１，６２には、上下向きの取付穴６１ａ，６２ａが形成されており、前部及び後部フレーム６１，６２の上面側に予備苗載置部３９における連結載置部分４０の凹入部４２を締め付け固定することで、予備苗載置部３９を前部及び後部フレーム６１，６２に固定することができ、予備苗載置部３９を前後方向の軸心周りに揺動させることができる。
【００６０】
揺動フレーム６０には、縦断面形状がＬ字状の接当部材６５が固着されており、使用姿勢で、この接当部材６５が上部フレーム６６の上面側に接当して、予備苗載置部３９が使用姿勢に位置決め保持されるように構成されている。
【００６１】
接当部材６５と上部フレーム６６の下部に固着された連結金具６９とに亘って、弾性バネ７０が装着されており、予備苗載置部３９の格納姿勢及び使用姿勢では、図１４（ロ）に示すデッドポイントＤＰ（弾性バネ７０が最も短くなる位置）を超えて弾性バネ７０が伸長し、格納姿勢及び使用姿勢での予備苗載置部３９に弾性バネ７０による付勢力が作用して、弾性バネ７０によって格納姿勢及び使用姿勢での予備苗載置部３９（揺動フレーム６０）の保持を補助できるように構成されている。その結果、乗用型田植機の走行等の振動による予備苗載置部３９のガタつきを防止できる。
【００６２】
また、予備苗載置部３９（揺動フレーム６０）の揺動支点が、弾性バネ７０の連結支点より上方に位置するように配設されており、付勢力に抗して弾性バネ７０を伸長させて、予備苗載置部３９を格納姿勢又は使用姿勢から使用姿勢又は格納姿勢に姿勢変更するように構成されている。その結果、デッドポイントＤＰに近づくに従って弾性バネ７０の付勢力が大きくなるように、弾性バネ７０のバネ反力を効果的に作用させることができ、予備苗載置部３９を格納姿勢及び使用姿勢で効果的に保持することができる。
【００６３】
上記のように、予備苗載置部３９を構成することにより、格納姿勢での予備苗載置部３９を機体内側（支持フレーム３３より内側）に位置させることができ、ステップ１０上部のデッドスペースを、格納姿勢での予備苗載置部３９を配設する空間として有効を活用でき、機体前部の幅を更にコンパクトに構成することができる。
【００６４】
［発明の実施の第２別形態］
前述の［発明を実施するための最良の形態］及び［発明の実施の第１別形態］においては、運転部３の前側の左右両側部の支持フレーム３３にそれぞれ１段の予備苗載置部３９を装備した例を示したが、支持フレーム３３に装備する予備苗載置部３９の数量（段数）は異なる数量を採用してもよい。具体的には、例えば図１６に示すように、支持フレーム３３に２段の予備苗載置部３９を装備するように構成してもよく、図示しないが、支持フレーム３３に３段以上の予備苗載置部３９を装備するように構成してもよい。また、支持フレーム３３に２段以上の予備苗載置部３９を装備し、いずれか一つの予備苗載置部３９（例えば最上段に位置する予備苗載置部３９）のみを前方又は後方に延長できるように構成してもよい。
【００６５】
前述の［発明を実施するための最良の形態］及び［発明の実施の第１別形態］においては、予備苗載置部３９に前部及び後部可動載置部分５０Ｆ，５０Ｒを備えて、予備苗載置部３９を前後に延長できるように構成した例を示したが、前部可動載置部分５０Ｆのみを備えて予備苗載置部３９を前方にのみ延出できるように構成してもよく、後部可動載置部分５０Ｒのみを備えて予備苗載置部３９を後方にのみ延長できるように構成してもよい。
【００６６】
この場合、前部可動載置部分５０Ｆを前方にスライド移動させる長さ、又は後部可動載置部分５０Ｒを後方にスライド移動させる長さを、連結載置部分４０の前後方向の長さ（図６中のＬ３）と略同じか、連結載置部分４０の前後方向の長さ（図６中のＬ３）より長くなるように設定することで、延長状態での予備苗載置部３９に２つの予備苗を前後に並べて載置できる。
【００６７】
前述の［発明を実施するための最良の形態］及び［発明の実施の第１別形態］においては、前部及び後部可動載置部分５０Ｆ，５０Ｒを連結載置部分４０に嵌め込んで、連結載置部分４０に沿って、前部及び後部可動載置部分５０Ｆ，５０Ｒが前方又は後方にスライド移動するように構成した例を示したが、例えば前部及び後部可動載置部分５０Ｆ，５０Ｒと連結載置部分４０との間にスライドレール、スライドローラ、ベアリング等のスライド機構（図示せず）を介在させて、前部及び後部可動載置部分５０Ｆ，５０Ｒを、連結載置部分４０に沿って前方又は後方にスライド移動可能に構成してもよい。この場合、必要に応じて、前部及び後部可動載置部分５０Ｆ，５０Ｒを延長状態又は収納状態で保持するロック機構（図示せず）を設ける。
【００６８】
［発明の実施の第３別形態］
前述の［発明を実施するための最良の形態］においては、予備苗載置部３９を使用姿勢から上方へ揺動させることにより格納姿勢に姿勢変更可能に構成した例を示したが、予備苗載置部３９を姿勢変更する構成として異なる構成を採用してもよく、例えば予備苗載置部３９を使用姿勢から下方へ揺動させることにより格納姿勢に姿勢変更可能に構成してもよく、予備苗載置部３９を支持フレーム３３に着脱することにより姿勢変更可能に構成してもよい。
【図面の簡単な説明】
【００６９】
【図１】乗用型田植機の全体左側面図
【図２】乗用型田植機の全体平面図
【図３】乗用型田植機の全体正面図
【図４】延長状態での乗用型田植機前部の左側面図
【図５】延長状態での乗用型田植機前部の平面図
【図６】延長状態での左側の予備苗載置部の平面図
【図７】左側の予備苗載置部の斜視図
【図８】左側の予備苗載置部における連結載置部分の正面図
【図９】図６のＸ−Ｘの位置における予備苗載置部の連結載置部分の縦断正面図
【図１０】図６のＹ−Ｙの位置における予備苗載置部の連結載置部分の縦断正面図
【図１１】予備苗載置部の連結構造を示す縦断側面図
【図１２】予備苗載置部の延長構造を示す縦断側面図
【図１３】左側の予備苗載置部の姿勢変更状況を説明する縦断正面図
【図１４】発明の実施の第１別形態における左側の予備苗載置部の正面図
【図１５】発明の実施の第１別形態における左側の予備苗載置部の平面図
【図１６】発明の実施の第２別形態における乗用型田植機前部の左側面図
【符号の説明】
【００７０】
３        運転部
３３      支持フレーム
３９      予備苗載置部
４０      連結載置部分
５０      可動載置部分
５０Ｆ    前部可動載置部分
５０Ｒ    後部可動載置部分
【図１】
2009022174.tif 000003
【図２】
2009022174.tif 000004
【図３】
2009022174.tif 000005
【図４】
2009022174.tif 000006
【図５】
2009022174.tif 000007
【図６】
2009022174.tif 000008
【図７】
2009022174.tif 000009
【図８】
2009022174.tif 000010
【図９】
2009022174.tif 000011
【図１０】
2009022174.tif 000012
【図１１】
2009022174.tif 000013
【図１２】
2009022174.tif 000014
【図１３】
2009022174.tif 000015
【図１４】
2009022174.tif 000016
【図１５】
2009022174.tif 000017
【図１６】
2009022174.tif 000018